【手続補正書】
【提出日】平成24年11月7日(2012.11.7)
【手続補正１】
【補正対象書類名】特許請求の範囲
【補正対象項目名】全文
【補正方法】変更
【補正の内容】
【特許請求の範囲】
【請求項１】
複数の合成樹脂製のシートが積層された積層シート（１００）を所定の形状に切断したベースシート（１１０）を製造し、前記ベースシート（１１０）を打ち抜き刃で打ち抜いて複数の小片に分けて形成されるジグソーパズル（１）であって、
前記積層シート（１００）は、
押出成形でシート状に押し出されて形成される、軟質な合成樹脂製の軟質シート（１０２）と、
前記軟質シート（１０２）に貼り合わせられ、前記軟質シートに比べ硬質な合成樹脂製の硬質シート（１０１、１０３）とからなり、
前記積層シート（１００）は、
前記押出成形後の完全に硬化していない未硬化状態の前記軟質シート（１０２）と前記硬質シート（１０１、１０３）とを、加圧することにより一体に貼り合わせられたものである
ことを特徴とするジグソーパズル。
【請求項２】
請求項１に記載されたジグソーパズルであって、
前記硬質シート（１０１、１０３）は、
前記軟質シートの一方の面に貼り合わせられる第一硬質シート（１０１）と、
前記軟質シートの他方の面に貼り合わせられる第二硬質シート（１０３）とからなる
ことを特徴とするジグソーパズル。
【請求項３】
請求項２に記載されたジグソーパズルであって、
前記軟質シート（１０２）、前記第一硬質シート（１０１）及び前記第二硬質シート（１０３）から選択される一以上の部材は、光が透過する透明又は半透明の部材である
ことを特徴とするジグソーパズル。
【請求項４】
請求項２又は３に記載されたジグソーパズルであって、
前記第一硬質シート（１０１）及び／又は前記第二硬質シート（１０３）は、輪転印刷機によって印刷された模様が施されている
ことを特徴とするジグソーパズル。
【請求項５】
請求項１〜４のいずれか１項に記載されたジグソーパズルあって、
前記軟質シート（１０１）は、
主成分が、ポリプロピレン、ポリ塩化ビニル、ポリエチレン、ポリスチレン及びポリエチレンテレフタラートから選択される一種以上の熱可塑性合成樹脂からなり、
従成分が、オレフィン系熱可塑性エラストマー、スチレン系熱可塑性エラストマー及びポリエステル系熱可塑性エラストマーから選択される一種以上の熱可塑性エラストマーからなる
ことを特徴とするジグソーパズル。
【請求項６】
請求項５に記載されたジグソーパズルあって、
前記硬質シート（１０１、１０３）は、
主成分が、ポリプロピレン、ポリ塩化ビニル、ポリエチレン、ポリスチレン及びポリエチレンテレフタラートから選択される一種以上の熱可塑性合成樹脂からなる
ことを特徴とするジグソーパズル。
【請求項７】
請求項１〜６に記載されたジグソーパズルであって、
前記複数の小片は、弾性変形することで密着して嵌め合う
ことを特徴とするジグソーパズル。
【請求項８】
押出成形で溶融した合成樹脂をシート状に押し出して軟質な軟質シート（１０２）を製造する第一工程（Ｓ１）と、
前記軟質シートに比べ硬質な合成樹脂製の硬質シート（１０１、１０３）を前記軟質シート（１０２）に貼り合わせ積層シート（１００）を形成する第二工程（Ｓ２）と、
前記積層シート（１００）を一定の大きさに切断したベースシート（１１０）を形成する第三工程（Ｓ３）と、
前記ベースシート（１１０）を打ち抜き刃で打ち抜いて複数の小片に形成する第四工程（Ｓ４）とからなり、
前記第二工程において、前記積層シート（１００）は、前記押出成形後の完全に硬化していない未硬化状態の前記軟質シート（１０２）と前記硬質シート（１０１、１０３）とを、加圧することにより一体に貼り合わせられる
ことを特徴とするジグソーパズルの製造方法。
【請求項９】
請求項８に記載されたジグソーパズルの製造方法であって、
前記硬質シート（１０１、１０３）は、
前記軟質シートの一の面に貼り合わせられる第一硬質シート（１０１）と、
前記軟質シートの他の面に貼り合わせられる第二硬質シート（１０３）とからなる
ことを特徴とするジグソーパズルの製造方法。
【請求項１０】
請求項９に記載されたジグソーパズルの製造方法であって、
前記軟質シート（１０２）、前記第一硬質シート（１０１）及び前記第二硬質シート（１０３）から選択される一以上の部材は、光が透過する透明又は半透明の部材である
ことを特徴とするジグソーパズルの製造方法。
【請求項１１】
請求項９又は１０に記載されたジグソーパズルの製造方法であって、
前記第一硬質シート（１０１）及び／又は前記第二硬質シート（１０３）は、輪転印刷機によって印刷された模様が施されている
ことを特徴とするジグソーパズルの製造方法。
【手続補正２】
【補正対象書類名】明細書
【補正対象項目名】００１１
【補正方法】変更
【補正の内容】
【００１１】
本発明は、前記目的を達成するために次の手段をとる。
本発明１のジグソーパズルは、複数の合成樹脂製のシートが積層された積層シートを所定の形状に切断したベースシートを製造し、前記ベースシートを打ち抜き刃で打ち抜いて複数の小片に分けて形成されるジグソーパズルであって、前記積層シートは、押出成形でシート状に押し出されて形成される、軟質な合成樹脂製の軟質シートと、前記軟質シートに貼り合わせられ、前記軟質シートに比べ硬質な合成樹脂製の硬質シートとからなり、前記積層シートは、前記押出成形後の完全に硬化していない未硬化状態の前記軟質シートと前記硬質シートとを、加圧することにより一体に貼り合わせられたものであることを特徴とする。
【手続補正３】
【補正対象書類名】明細書
【補正対象項目名】００１２
【補正方法】削除
【補正の内容】
【手続補正４】
【補正対象書類名】明細書
【補正対象項目名】００１３
【補正方法】変更
【補正の内容】
【００１３】
本発明２のジグソーパズルは、 本発明１において、前記硬質シートは、前記軟質シートの一方の面に貼り合わせられる第一硬質シートと、前記軟質シートの他方の面に貼り合わせられる第二硬質シートとからなることを特徴とする。
【手続補正５】
【補正対象書類名】明細書
【補正対象項目名】００１４
【補正方法】変更
【補正の内容】
【００１４】
本発明３のジグソーパズルは、本発明２において前記軟質シート、前記軟質シート、前記第一硬質シート及び前記第二硬質シートから選択される一以上の部材は、光が透過する透明又は半透明の部材であることを特徴とする。
【手続補正６】
【補正対象書類名】明細書
【補正対象項目名】００１５
【補正方法】変更
【補正の内容】
【００１５】
本発明４のジグソーパズルは、本発明２又は３において、 前記第一硬質シート及び／又は前記第二硬質シートは、輪転印刷機によって印刷された模様が施されていることを特徴とする。
【手続補正７】
【補正対象書類名】明細書
【補正対象項目名】００１６
【補正方法】変更
【補正の内容】
【００１６】
本発明５のジグソーパズルは、本発明１〜４のいずれか１において、前記軟質シートは、主成分が、ポリプロピレン、ポリ塩化ビニル、ポリエチレン、ポリスチレン及びポリエチレンテレフタラートから選択される一種以上のの熱可塑性合成樹脂からなり、従成分が、オレフィン系熱可塑性エラストマー、スチレン系熱可塑性エラストマー及びポリエステル系熱可塑性エラストマーから選択される一種以上の熱可塑性エラストマーとからなることを特徴する。
【手続補正８】
【補正対象書類名】明細書
【補正対象項目名】００１７
【補正方法】変更
【補正の内容】
【００１７】
本発明６のジグソーパズルは、本発明５において、前記硬質シートは、主成分が、ポリプロピレン、ポリ塩化ビニル、ポリエチレン、ポリスチレン及びポリエチレンテレフタラートから選択される一種以上のの熱可塑性合成樹脂からなることを特徴する。
【手続補正９】
【補正対象書類名】明細書
【補正対象項目名】００１８
【補正方法】変更
【補正の内容】
【００１８】
本発明７のジグソーパズルは、本発明１〜６において、前記複数の小片は、弾性変形することで密着して嵌め合うことを特徴とする。
【手続補正１０】
【補正対象書類名】明細書
【補正対象項目名】００１９
【補正方法】変更
【補正の内容】
【００１９】
本発明８のジグソーパズルの製造方法は、押出成形で溶融した合成樹脂をシート状に押し出して軟質シートを製造する第一工程と、前記軟質シートに比べ硬質な合成樹脂製の硬質シートを前記軟質シートに貼り合わせ積層シートを形成する第二工程と、前記積層シートを一定の大きさに切断したベースシートを形成する第三工程と、前記ベースシートを打ち抜き刃で打ち抜いて複数の小片に形成する第四工程とからなり、前記第二工程において、前記積層シートは、前記押出成形後の完全に硬化していない未硬化状態の前記軟質シートと前記硬質シートとを、加圧することにより一体に貼り合わせられることを特徴とする。
【手続補正１１】
【補正対象書類名】明細書
【補正対象項目名】００２０
【補正方法】削除
【補正の内容】
【手続補正１２】
【補正対象書類名】明細書
【補正対象項目名】００２１
【補正方法】削除
【補正の内容】
【手続補正１３】
【補正対象書類名】明細書
【補正対象項目名】００２２
【補正方法】変更
【補正の内容】
【００２２】
本発明９のジグソーパズルの製造方法は、本発明８において、前記硬質シートは、前記軟質シートの一の面に貼り合わせられる第一硬質シートと、前記軟質シートの他の面に貼り合わせられる第二硬質シートとからなることを特徴とする。
【手続補正１４】
【補正対象書類名】明細書
【補正対象項目名】００２３
【補正方法】変更
【補正の内容】
【００２３】
本発明１０のジグソーパズルの製造方法は、本発明９において、前記軟質シート、前記第一硬質シート及び前記第二硬質シートから選択される一以上の部材は、光が透過する透明又は半透明の部材であることを特徴とする。
【手続補正１５】
【補正対象書類名】明細書
【補正対象項目名】００２４
【補正方法】変更
【補正の内容】
【００２４】
本発明１１のジグソーパズルの製造方法は、本発明９又は１０において、前記第一硬質シート及び／又は前記第二硬質シートは、輪転印刷機によって印刷された模様が施されていることを特徴とする。
【手続補正１６】
【補正対象書類名】明細書
【補正対象項目名】００２８
【補正方法】変更
【補正の内容】
【００２８】
図１において示すように、矢印Ｈ方向を「縦方向」とし、矢印Ｓ方向を「横方向」として説明する。図２において示すように、ジグソーパズルの厚さ方向を示す矢印α方向を「上方向」とし、矢印β方向を「下方向」として説明する。なお、一のピースが、隣接する他のピースに嵌められている状態を「嵌合状態」として説明する。これに対し、一のピースが、隣接する他のピースに嵌められていない状態を「非嵌合状態」として説明する。
【手続補正１７】
【補正対象書類名】明細書
【補正対象項目名】００２９
【補正方法】変更
【補正の内容】
【００２９】
図１〜３に示すように、ジグソーパズル１は、複数のピースから形成されている。図１又は２に示すように、本実施の形態におけるジグソーパズル１は、すべてのピースが嵌め合わされている嵌合状態では、所定の厚みをもつ一枚の平板に形成されている。各ピースは、四角形で所定の厚みをもつ直方体形状であり、係合雄部又は係合雌部が設けられて形成されている。本実施の形態において、各ピースの直方体形状は、縦横の寸法が約１３ｍｍ×横１３ｍｍであり、肉厚が１．０ｍｍと薄く構成されている。
【手続補正１８】
【補正対象書類名】明細書
【補正対象項目名】００３０
【補正方法】変更
【補正の内容】
【００３０】
図１又は図３に示すように、各ピースは、その側面に他のピースを組み合わせるための係合雄部（凸状部）又は係合雌部（凹状部）が形成されている。例えば、ピース４０は、略直方体形状であり、その側面に２つの係合雄部４０ｍ、４０ｍ’と２つの係合雌部４０ｆ、４０ｆ’とが形成されている。図３に示すように、係合雄部４０ｍは、略円柱形状に形成されている。係合雄部４０ｍは、ピース４０の一の側面４０ａから外方に向けて設けられている。係合雄部４０ｍの周壁の一部は、側面４０ａの一部と一体化している。係合雄部４０ｍ’は、係合雄部４０ｍと同様に一の側面４０ｂから突出するように形成されている。
【手続補正１９】
【補正対象書類名】明細書
【補正対象項目名】００３１
【補正方法】変更
【補正の内容】
【００３１】
図３に示すように、係合雌部４０ｆは、ピース４０の一の側面４０ｃの所定の位置からピース４０の内方に形成されている。係合雌部４０ｆは、ピース４０の表面から裏面にかけて貫通して形成された略円形形状の円孔である。係合雌部４０ｆは、ピース４０の一の側面４０ｃを湾状に切り欠くように形成されている。係合雌部４０ｆ’は、係合雌部４０ｆと同様に一の側面４０ｄに形成されている。
【手続補正２０】
【補正対象書類名】明細書
【補正対象項目名】００３３
【補正方法】変更
【補正の内容】
【００３３】
隣接するピース同士は、係合雄部と係合雌部とがぴったりと嵌め合わさる形状に形成されている。そして、個々のピースの形状は、すべてが微妙に異なって形成され、全く同じピースがないように形成されている。つまり、隣接しないピース同士の係合雄部と係合雌部はぴったりと嵌め合わせることができないように形成されている。すべてのピースを正しく並べ終えると絵画、写真、図形及びキャラクター等の模様が完成するように形成されている。遊技者は、ピースの形状やバラバラにされたピースに描かれている模様を頼りに、ピースの一つ一つを並べてジグソーパズル１を完成させることができる。
【手続補正２１】
【補正対象書類名】明細書
【補正対象項目名】００３５
【補正方法】変更
【補正の内容】
【００３５】
図２は、図１をＡ−Ａ線で切断した断面図であるが、見た目をわかりやすくするために、厚みをもたせ模式的に記載してある。図２に示すように、各ピースは、第一硬質層、軟質層及び第二硬質層の３つの層から形成されている。例えば、ピース２０、３０、４０は、第一硬質層２１、３１、４１、軟質層２２、３２、４２及び第二硬質層２３、３３、４３から形成されている。上方向から下方向にかけて、各ピースは、各第一硬質層、各軟質層及び各第二硬質層の順番に積み重ねられるように形成されている。
【手続補正２２】
【補正対象書類名】明細書
【補正対象項目名】００４８
【補正方法】変更
【補正の内容】
【００４８】
各弓状側面は、それぞれ所定以上の力を加えると弾性変形するように形成されている。一のピースが隣接する他のピースに嵌められている嵌合状態においては、一のピースの側面と隣接する他のピースの側面とが、お互い弾性変形して、密着している。例えば、図４（ｄ）は、ピース４０の係合雄部４０ｍが、ピース３０の係合雌部３０ｆに嵌められている様子を示している。このとき、係合雄部４０ｆが係合雌部３０ｆに嵌められている嵌合状態では、係合雄部４０ｍの第一弓状側面４１ａと係合雌部３０ｆの第一弓状側面３１ａとが、お互いに弾性変形して密着している。
【手続補正２３】
【補正対象書類名】明細書
【補正対象項目名】００４９
【補正方法】変更
【補正の内容】
【００４９】
また、第二弓状側面４２ａと第二弓状側面３２ａとが、お互いに弾性変形して密着している。さらに、第三弓状側面４３ａと第三弓状側面３３ａとが、お互いに弾性変形して密着している。図４（ａ）に示す想像線４１ｃ、４２ｃ、４３ｃは、係合雄部４０ｍが係合雌部３０ｆに嵌められたとき、各弓状側面が弾性変形したときの位置を示す想像線である。例えば、想像線４１ｃは、係合雄部４０ｍが係合雌部３０ｆに嵌められたとき、第一弓状側面４１ａが弾性変形して第一弓状側面３１ａに密着しているときの位置を示す想像線である。
【手続補正２４】
【補正対象書類名】明細書
【補正対象項目名】００５８
【補正方法】変更
【補正の内容】
【００５８】
図５に記載されたフロー図に従って、製造工程の概略を説明する。軟質シート１０２が、押出成形機２００で押出成形される（Ｓ１）。第一硬質シート１０１、軟質シート１０２及び第二硬質シート１０３を積層して積層シート１００を製造する（Ｓ２）。積層シート１００を切断してベースシート１１０を製造する（Ｓ３）。ベースシート１１０を打ち抜きジグソーパズル１を製造する（Ｓ４）。ジグソーパズル１を取り出す（Ｓ５）。以上の製造工程を採ることによりジグソーパズル１が完成する。次にその具体的製造方法について説明する。
【手続補正２５】
【補正対象書類名】明細書
【補正対象項目名】００６２
【補正方法】変更
【補正の内容】
【００６２】
図６に記載された、模式図を用いてジグソーパズル１が製造されるまでの工程について具体的に説明する。
＜押出成形（Ｓ１）＞
押出成形の工程は、押出機２００を用いて軟質シートを製造する工程である。軟質シート１０２の材料は、主として熱可塑性合成樹脂と熱可塑性エラストマーである。熱可塑性合成樹脂としては、ポリ塩化ビニル、ポリプロピレン、ポリエチレン、ポリスチレン及びポリエチレンテレフタラート等のいずれか一種以上を使用する。熱可塑性エラストマーは、常温でゴム弾性を示し、高温では熱可塑性の樹脂と同様に可塑化され成形できるという性質を有する。熱可塑性エラストマーとしては、オレフィン系熱可塑性エラストマー、スチレン系熱可塑性エラストマー及びポリエステル系熱可塑性エラストマー等のいずれか一種以上を使用する。